(57)【要約】【課題】壁に当てながら展示媒体を少なくとも一方向に移動させる（好ましくは展示媒体の上下左右方向を変更する）ことができ、さらに全体としての美観を向上させて展示の際の自由性及び作業性を高めた展示用構造物を提供する。【解決手段】本発明に係る展示用構造物１は、取り付けるべき壁面からなる被取り付け体に対して取り付け治具を介して取り付けて展示媒体を展示する略平板形状に形成された構造物本体３と、前記展示媒体が位置し、前記構造物本体３の一方の面である展示面４と、該展示面４の裏側に位置し、前記構造物本体３の他方の面である取り付け面５と、該取り付け面５を切欠いて形成され、前記取り付け治具の一部を挿入可能であり且つ挿入された一部をスライド可能な溝６とを備えている。【選択図】        図１
2016101218.tif 000002
【特許請求の範囲】
【請求項１】
取り付けるべき壁面からなる被取り付け体に対して取り付け治具を介して取り付けて展示媒体を展示する略平板形状に形成された構造物本体と、
前記展示媒体が位置し、前記構造物本体の一方の面である展示面と、
該展示面の裏側に位置し、前記構造物本体の他方の面である取り付け面と、
該取り付け面を切欠いて形成され、前記取り付け治具の一部を挿入可能であり且つ挿入された一部をスライド可能な溝とを備えたことを特徴とする展示用構造物。
【請求項２】
前記構造物本体が前記被取り付け体に取り付けられた状態で前記展示面は鉛直及び水平方向に延びる中心線を有し、
前記溝は前記展示面と対応する前記取り付け面の上下左右側のそれぞれの領域で前記中心線上に存する基準点を通過していることを特徴とする請求項１に記載の展示用構造物。
【請求項３】
前記溝は前記取り付け面方向から視たときに環状に形成されていることを特徴とする請求項１又は２に記載の展示用構造物。
【請求項４】
前記溝の前記基準点の位置には、前記取り付け面の外方に膨出して前記取り付け治具を受け入れ可能な位置決め部が形成されていることを特徴とする請求項２又は３に記載の展示用構造物。
【請求項５】
前記溝には、前記取り付け治具を導入するために前記溝の幅よりも広く形成された導入部が連続して設けられていることを特徴とする請求項１〜４のいずれかに記載の展示用構造物。
【発明の詳細な説明】
【技術分野】
【０００１】
本発明は、写真や絵はがき、あるいは書画等の展示媒体を展示するための展示用構造物に関する。
【背景技術】
【０００２】
写真や書画等の展示媒体を飾るための構造物として額縁や写真立て等が知られている。この構造物は略平板形状であり、壁掛け型の場合はフック等に引っかけて壁に吊り下げられている。置き型の場合はスタンド等を用いて立てかけて机上等に載置されている。展示媒体は構造物内に収容可能な場合、透明なガラスや樹脂等を介して鑑賞される。あるいは構造物の表面に展示媒体が直接貼られたり描かれたりして鑑賞されることもある。
【０００３】
一方で、展示媒体は通常上下方向が定まっているため、それに合わせて展示媒体を縦又は横にして展示用構造物にセットする必要がある。展示媒体は縦と横の長さが等しくない場合が多いので、展示用構造物もそれに合わせて縦と横の長さが等しくない場合が多い。したがって展示媒体を縦（横）にして飾るときは展示用構造物も縦（横）として吊り下げ又は載置している。
【０００４】
このようないわゆる縦飾り及び横飾りの両方に対応するため、展示用構造物に縦飾り用及び横飾り用の吊り下げ又は載置手段を両方設けている額縁がある（例えば特許文献１参照）。特許文献１の額縁は、縦飾り及び横飾りが可能なように壁等に固定するための穴を縦飾り用及び横飾り用として２箇所に設けている。
【０００５】
しかしながら、例えば展示媒体が上下左右のいずれかからも鑑賞可能なように描かれている場合がある（例えば地模様等）。この場合、特許文献１の額縁では、一旦セットした展示媒体の額縁（展示用構造物）における上下や左右を入れ替えたいときは展示媒体を展示用構造物から取り外して上下又は左右方向を逆にし、再び展示用構造物にセットする必要がある。またこのように上下左右どの方向からも鑑賞可能な展示媒体の場合、実際に展示する壁に当てながら上下左右を見比べて最適な方向を見つけたいという要望がある。
【０００６】
さらに、特許文献１に代表されるように従来の額縁はいずれも側面からフック（取り付けピン）等に取り付けるための取り付け金具が視認できるので、美観面で好ましくない。さらに、壁に取り付ける際に取り付け金具に取り付けピンを挿入する作業が困難であるという問題もある。また従来の額縁では、取り付けピンと取り付け金具の位置関係は例えば縦飾りの場合には一通りに限定されるので、例えば少し斜めにして飾りたいとき等のような展示方向の自由性に欠けている。
【先行技術文献】
【特許文献】
【０００７】
【特許文献１】実開昭６１−１５３５６８号公報
【発明の概要】
【発明が解決しようとする課題】
【０００８】
本発明は、上記従来技術を考慮したものであり、壁に当てながら展示媒体を少なくとも一方向に移動させる（好ましくは展示媒体の上下左右方向を変更する）ことができ、さらに全体としての美観を向上させて展示の際の自由性及び作業性を高めた展示用構造物を提供することを目的とする。
【課題を解決するための手段】
【０００９】
前記目的を達成するため、本発明では、取り付けるべき壁面からなる被取り付け体に対して取り付け治具を介して取り付けて展示媒体を展示する略平板形状に形成された構造物本体と、前記展示媒体が位置し、前記構造物本体の一方の面である展示面と、該展示面の裏側に位置し、前記構造物本体の他方の面である取り付け面と、該取り付け面を切欠いて形成され、前記取り付け治具の一部を挿入可能であり且つ挿入された一部をスライド可能な溝とを備えたことを特徴とする展示用構造物を提供する。
【００１０】
好ましくは、前記構造物本体が前記被取り付け体に取り付けられた状態で前記展示面は鉛直及び水平方向に延びる中心線を有し、前記溝は前記展示面と対応する前記取り付け面の上下左右側のそれぞれの領域で前記中心線上に存する基準点を通過している。
【００１１】
好ましくは、前記溝は前記取り付け面方向から視たときに環状に形成されている。
【００１２】
好ましくは、前記溝の前記基準点の位置には、前記取り付け面の外方に膨出して前記取り付け治具を受け入れ可能な位置決め部が形成されている。
【００１３】
好ましくは、前記溝には、前記取り付け治具を導入するために前記溝の幅よりも広く形成された導入部が連続して設けられている。
【発明の効果】
【００１４】
本発明によれば、取り付け治具の一部を挿入可能であり且つ挿入された一部をスライド可能な溝が取り付け面に備わるため、例えば取り付け治具たる壁面に固定されたねじのヘッド部分を溝に挿入しながら構造物本体をスライドさせることができる。このため、展示面に配された展示媒体を壁面に当てて確認しながら少なくとも一方向に移動させることができる。したがって、展示されている雰囲気を確認しながら展示面の位置を調整することができる。また、所定長さを有する溝に対して取り付け治具をスライドさせることで、例えば展示面を少し斜めにする等の展示方向に自由性を持たせることが可能となる。
【００１５】
また、溝がそれぞれ取り付け面の上下左右の領域で基準点を通過しているので、展示媒体を展示面に対して上下左右に回転させることなく構造物本体を回転させて被取り付け体に取り付けることができる。すなわち、例えば展示媒体が上下左右のいずれかからも鑑賞可能なように描かれている場合であっても、展示媒体を構造物本体から取り外すことなく展示媒体を被取り付け体に対して回転させて展示することができる。
【００１６】
また、溝が取り付け面方向から視たときに環状に形成されているので、構造物本体を被取り付け体に当てながら上下左右に回転させることができる。このため、実際に展示された際の雰囲気を確認しながら展示媒体を回転させて最適な方向を見つけることができる。
【００１７】
また、溝を環状に形成することは、すなわち溝が取り付け面の外縁からはみ出ないことになる。したがって構造物本体を側面から視たときに溝が目視されることなく、側面は側面視にて平坦となっている。このため側面から視たときの美観が向上し、全体としての美観も向上する。
【００１８】
また、溝の基準点の位置に、取り付け面の外方に膨出して取り付け治具を受け入れ可能な位置決め部が形成されているので、取り付け治具をここに納めることにより展示面の鉛直方向、左右方向を定めることができる。したがって取り付け時の作業性が向上する。
【００１９】
また、溝には、取り付け治具を挿入するために溝の幅よりも広く形成された導入部が連続して設けられているので、この導入部を介して溝に取り付け治具を容易に導入（挿入）することができる。このため、取り付け時の作業性が向上する。
【図面の簡単な説明】
【００２０】
【図１】本発明に係る展示用構造物の概略図である。
【図２】展示用構造物を被取り付け体に取り付けるときの概略説明図である。
【図３】展示用構造物の取り付け面に形成された溝の一例を示す概略図である。
【図４】展示用構造物の取り付け面に形成された溝の一例を示す概略図である。
【図５】展示用構造物の取り付け面に形成された溝の一例を示す概略図である。
【図６】展示用構造物の取り付け面に形成された溝の一例を示す概略図である。
【図７】展示用構造物の取り付け面に形成された溝の一例を示す概略図である。
【図８】展示用構造物の取り付け面に形成された溝の一例を示す概略図である。
【図９】展示用構造物をスタンド型として用いたときの概略図である。
【発明を実施するための形態】
【００２１】
図１に示すように、本発明に係る展示用構造物１は、壁面等の被取り付け体２（図２参照）に取り付けて展示媒体（不図示）を展示するためのものである。展示用構造物１として一般的な称呼としては、「額縁」、「写真立て」、「ファブリックボード」、「壁掛け式ボード」等がある。展示媒体の例としては、写真や絵はがき、あるいは書画や布地等の平面物や花や貝等の立体物がある。これら展示媒体は展示用構造物１を形成する構造物本体３の一方の面である展示面４に配されて展示される。その配され方はどのような方法でもよく、額縁のように構造物本体３の内部に収容して透明なガラスや樹脂等を通して展示面４側から視認できるようにしてもよいし、展示面４に直接貼り付けたり描いたり印刷してもよい。展示面４とは、その具体的な配設方法に関係なく、展示媒体が位置する面である。
【００２２】
一方で、展示面４の裏側には取り付け面５が位置している。取り付け面５は、構造物本体３の他方の面を形成している。取り付け面５には、溝６が形成されている。溝６は、取り付け面５を切欠いて形成されている。ここで、図２に示すように、被取り付け体２である壁面には例えばねじ等の取り付け治具７が螺入されて固定されている。溝６はこのねじ７のヘッド部分を受容可能な大きさに形成されている。なお図２のようにねじ７のヘッド部分は、ねじ７が被取り付け体２に対して螺入されている部分であるねじ本体よりも拡径されている。このヘッド部分は溝６の開口端部の径よりも大きいが、溝６にはねじ７のヘッド部分を溝６内に導入させるための導入部９が別途設けられている（図３参照）。具体的には、構造物本体３を壁面２に取り付けた状態では、図２の矢印方向に構造物本体３が位置し、ねじ７のヘッド部分は溝６内に収容された状態である。より詳しくは、ねじ７のヘッド部分は徐々に先端に向けて拡径した拡径部８を有している。溝６の底部は、溝６の開口側よりも幅広に形成されていて、この拡径部８を受容できる形状に切りかかれている。このためねじ７が溝６から抜けて構造物本体３が展示面４方向に落下することはない。なお、取り付け面５を同一平面上、すなわち面一に形成すれば、構造物本体３を被取り付け体２に取り付けた際に展示面４を水平方向とすることができる。これにより、取り付け面５と被取り付け体２との間に隙間が生じることはない。よって、構造物本体３と被取り付け体２との一体性を高めることができる。
【００２３】
以上のように、溝６は取り付け治具７の一部（ねじ７のヘッド部分）を挿入可能である。また、ねじ７のヘッド部分を挿入した状態でねじ７のヘッド部分は溝６に沿ってスライド可能である。このように、取り付け治具７の一部を挿入可能であり且つこの挿入された一部をスライド可能な溝６が取り付け面５に備わっているため、例えば壁面２に固定されたねじ７のヘッド部分を溝６に挿入しながら構造物本体３をスライドさせることができる。このため、展示面４に配された展示媒体を確認しながら構造物本体３を壁面２に対して少なくとも一方向に移動させることができる。したがって、展示されている雰囲気を確認しながら展示面４の位置を調整することができる。また、所定長さを有する溝６に対して取り付け治具７をスライドさせることで、例えば展示面４を少し斜めにする等の展示方向に自由性を持たせることが可能となる。また、構造物本体３は溝６に取り付け治具７を挿入した状態で取り付け治具７を支軸として回転させることができる。したがって構造物本体３を壁面２に当てた状態で展示面４の上下左右を変更させることができる。
【００２４】
図１の例では、溝６は取り付け面５の外縁に沿ってその内側に環状に形成された例を示している。これをさらに具体的にしたものを図３に示している。構造物本体３の展示面４は被取り付け体２に取り付けられた際に鉛直及び水平方向に延びる中心線Ａ、Ｂを有することになる。取り付け面５は展示面４と表裏の位置関係にて対応しているため、この中心線Ａ、Ｂは、取り付け面５においても同様の位置に形成される。一方で取り付け面５は上下左右にそれぞれ領域を有し、このそれぞれの領域を中心線Ａ又はＢが横切っている。図３の例では、上側領域Ｕ及び下側領域Ｄには鉛直方向に延びる中心線Ａが、左側領域Ｌ及び右側領域Ｒには水平方向に延びる中心線Ｂが横切っている。この領域Ｕ、Ｄ、Ｌ、Ｒ内での中心線Ａ、Ｂの任意の点ｕ、ｄ、ｌ、ｒがそれぞれ基準点となっている。溝６はこの基準点ｕ、ｄ、ｌ、ｒを必ず通過するように形成される。
【００２５】
このように溝６を形成することで、溝６がそれぞれ取り付け面５の上下左右の領域Ｕ、Ｄ、Ｌ、Ｒで基準点ｕ、ｄ、ｌ、ｒを通過することになるので、展示媒体を展示面４に対して取り外してから上下左右に回転させることなく、構造物本体３を回転させることにより、結果として展示媒体を回転させることができることになる。すなわち構造物本体３を回転させて基準点ｕ、ｄ、ｌ、ｒのいずれかを上側に位置させることで、展示面４の上下左右位置を任意に変更できる。したがって、例えば展示媒体が上下左右のいずれかからも鑑賞可能なように描かれている場合であっても、展示媒体を構造物本体３から取り外すことなく展示媒体を被取り付け体２に対して回転させて展示することができる。このため、実際に展示された際の雰囲気を確認しながら展示媒体を回転させて最適な方向を見つけることができる。これは溝６が取り付け面５を正面方向から視て連続的に環状に形成されていて、さらに溝６が基準点ｕ、ｄ、ｌ、ｒを通過するように形成されていることによって得られる効果である。また、溝６に沿って構造物本体３をスライドさせることにより被取り付け体２に対して溝６のそれぞれの方向に向けて多方向に構造物本体３を移動させることができる。溝６が環状に形成されているので、それぞれの溝６もつながっていることになり、結果として多方向に構造物本体３を移動させる際に被取り付け体２から構造物本体３を取り外す必要がない。
【００２６】
また、溝６を環状に形成することは、すなわち溝６が取り付け面５の外縁からはみ出ないことになる。したがって構造物本体３を側面から視たときに溝６が目視されることなく、側面は側面視にて平坦となっている。このため側面から視たときの美観が向上し、全体としての美観も向上する。なお、側面自体は平坦でもよいし、丸まっていたりくぼみがあったりどのような形状でもよい。側面視にて平坦とは、溝６がこの側面まで到達していないため側面から視たときに溝６を目視できないという意味である。
【００２７】
溝６には、上述したように導入部９が形成されている。図３の例では、平面視で略矩形に形成された溝６の四隅にそれぞれ導入部９が形成されている。この導入部９は取り付け治具７の溝６に対する挿入部分が拡径されている場合に（例えばねじ７のヘッド部分）、この拡径部８を導入するために溝６よりも幅広に形成されている。このように、溝６に取り付け治具７を挿入するために溝６の幅よりも広く形成された導入部９を溝６と連続して設けることで、この導入部９を介して溝６に取り付け治具７を容易に挿入することができるようになる。このため、取り付け時の作業性が向上する。
【００２８】
図４に示すように、取り付け治具７の導入をさらに容易にするため、さらに径の広い導入部１０を取り付け面５に設けてもよい。このような導入部１０を設けた場合、四隅の導入部９は省略可能である。導入部１０から導入された取り付け治具７（の拡径部８）を溝６（の底部）へ導くため、導入部１０と溝６とは連続して形成されている。
【００２９】
また図５に示すように、溝６の基準点ｕ、ｄ、ｌ、ｒのそれぞれの位置に、取り付け面５の外方に膨出して取り付け治具７を受け入れ可能な位置決め部１１を形成してもよい。このように位置決め部１１を形成すれば、取り付け治具７をここに納めることができる。このため、展示面４の鉛直方向、左右方向を定めることができる。したがって取り付け時の作業性が向上する。また、図５に示すように、環状の溝６を複数設けてもよい。このように溝６を複数設けた場合、それぞれの溝６がそれぞれの領域Ｕ、Ｄ、Ｌ、Ｒで中心線Ａ、Ｂと交わる部位が基準点ｕ、ｄ、ｌ、ｒとなる。すなわち、溝６ごとに基準点ｕ、ｄ、ｌ、ｒが規定される。溝６を複数設け、取り付け治具７を収容する溝６を変更することで、被取り付け体２に対する構造物本体３の位置を適宜変更できる。すなわち、図５の例では、一番外側の溝６と、一番内側の溝６とに取り付け治具７を収容した場合では、被取り付け体２に対する構造物本体３の高さ方向の位置が変わってくる。このため、被取り付け体２に対する展示用構造物１の位置を微調整することができる。
【００３０】
上述したように、溝６は中心線Ａ、Ｂをそれぞれの領域Ｕ、Ｄ、Ｌ、Ｒにて通過していればどのような軌道を描いていてもよい。例えば図６に示すように、取り付け面５の平面視にて菱形形状であってもよい。このように菱形形状とすれば、構造物本体３の自重による落下を利用して、取り付け治具７が溝６内をスライドしやすくなり、上側領域Ｕの位置決め部１１に取り付け治具７が入りやすくなる。あるいは、図７に示すように、取り付け面５の平面視にて溝６を円形形状としてもよい。このようにしても展示面４を回転させることができ、上記図３、図６の例と同様の効果を得ることができる。なお、図６及び図７では、位置決め部１１が導入部９を兼ねている。このように位置決め部１１と導入部９を兼用すれば、加工の手間が省け生産性が向上する。なお、溝６は基準点ｕ、ｄ、ｌ、ｒを通過していればよいので、中心線Ａ及びＢに沿って延びるように十文字状に形成されていてもよい。
【００３１】
また溝６は、図８に示すように、連続した環状でなくてもよい。このように溝６がそれぞれ分割されていたとしても、取り付け面５のそれぞれの領域Ｕ、Ｄ、Ｌ、Ｒにて中心線Ａ、Ｂを通過する基準点ｕ、ｄ、ｌ、ｒがあれば、それぞれの基準点ｕ、ｄ、ｌ、ｒに取り付け治具７を位置させることで展示面４の上下左右方向を変更させて被取り付け体２に対して展示用構造物１を配することができる。なお、上述した構造物本体３の外縁は、全て矩形の例を示したが、その形状はこれに限らず、例えば丸やハート、三角形状でもよい。すなわち、多角形等、外縁を有する形状であればどのような形状にも適用できる。
【００３２】
また溝６に板又は棒形状のスタンド１２を挿入すれば、床上に載置することができる（図９）。このとき溝６が取り付け面５の外縁に沿った略矩形形状、あるいは基準点ｕ、ｄ、ｌ、ｒを通過するように形成されていれば、展示面４の上下左右方向を変更させて床上に載置できる。このように展示用構造物１は、壁掛けとしても機能できるし、写真立てのようなスタンド型としても機能できる。
【符号の説明】
【００３３】
１：展示用構造物、２：被取り付け体（壁面）、３：構造物本体、４：展示面、５：取り付け面、６：溝、７：取り付け治具（ねじ）、８：拡径部、９：導入部、１０：導入部、１１：位置決め部、１２：スタンド、Ａ：鉛直方向の中心線、Ｂ：水平方向の中心線、Ｕ：上側領域、Ｄ：下側領域、Ｌ：左側領域、Ｒ：右側領域、ｕ、ｄ、ｌ、ｒ：基準点
【図１】
2016101218.tif 000003
【図２】
2016101218.tif 000004
【図３】
2016101218.tif 000005
【図４】
2016101218.tif 000006
【図５】
2016101218.tif 000007
【図６】
2016101218.tif 000008
【図７】
2016101218.tif 000009
【図８】
2016101218.tif 000010
【図９】
2016101218.tif 000011